(57)【要約】【課題】健康管理に関する的確な情報を車内の乗員に報知することが可能な乗員健康管理装置を提供する。【解決手段】乗員健康管理装置１００は、車内における乗員の健康状態を測定して生体情報を取得する測定器２１と、測定器２１により取得された生体情報に基づいて、乗員の健康管理に関する複数の提案であって、医療機関での受診と医薬品を販売する販売店での医薬品の購入とを含む複数の提案の中から、乗員に報知すべき提案を決定する提案決定部１３と、提案決定部１３で決定された提案を乗員に対し報知する表示部２６およびスピーカ２７とを備える。【選択図】図２
2018190290.tif 000002
【特許請求の範囲】
【請求項１】
車内における乗員の健康状態を測定して生体情報を取得する測定部と、
前記測定部により取得された生体情報に基づいて、乗員の健康管理に関する複数の提案であって、医療機関での受診と医薬品を販売する販売店での医薬品の購入とを含む複数の提案の中から、乗員に報知すべき提案を決定する提案決定部と、
前記提案決定部で決定された提案を乗員に対し報知する報知部と、を備えることを特徴とする乗員健康管理装置。
【請求項２】
請求項１に記載の乗員健康管理装置において、
前記測定部により取得された生体情報を記憶する情報記憶部をさらに備え、
前記提案決定部は、前記情報記憶部に記憶された過去の生体情報と、前記測定部により取得された現在の生体情報とに基づいて、乗員に報知すべき提案を決定することを特徴とする乗員健康管理装置。
【請求項３】
請求項１または２に記載の乗員健康管理装置において、
前記提案決定部は、前記測定部により取得された生体情報に基づいて乗員の健康状態の悪化の程度を推定し、推定された健康状態の悪化の程度に応じて、乗員に報知すべき提案を決定することを特徴とする乗員健康管理装置。
【請求項４】
請求項３に記載の乗員健康管理装置において、
前記複数の提案は、目的地に向かう往路での受診および医薬品の購入と、前記目的地から帰還する復路での受診および医薬品の購入とをさらに含むことを特徴とする乗員健康管理装置。
【請求項５】
請求項３または４に記載の乗員健康管理装置において、
前記複数の提案は、第１類医薬品、第２類医薬品および第３類医薬品の購入をさらに含み、
前記報知部は、前記提案決定部により前記第１類医薬品、前記第２類医薬品または前記第３類医薬品の購入が乗員に報知すべき提案に決定されると、決定された医薬品を取り扱う販売店の情報を、決定された提案とともに乗員に対し報知することを特徴とする乗員健康管理装置。
【請求項６】
請求項１〜５のいずれか１項に記載の乗員健康管理装置において、
前記報知部により報知された提案に対する乗員による承諾または拒否の応答指令が入力される応答指令部をさらに備え、
前記提案決定部は、医療機関での受診を乗員に報知すべき提案に決定した後、前記応答指令部で拒否の応答指令が入力されると、次いで、販売店での医薬品の購入を乗員に報知すべき提案に決定することを特徴とする乗員健康管理装置。
【請求項７】
車内における乗員の健康状態を測定して生体情報を取得する測定部を有する車載装置と、
前記車載装置と通信可能な乗員健康管理サーバと、を備え、
前記乗員健康管理サーバは、前記測定部により取得された生体情報を取得するとともに、取得した生体情報に基づいて、乗員の健康管理に関する複数の提案であって、医療機関での受診と医薬品を販売する販売店での医薬品の購入とを含む複数の提案の中から、乗員に報知すべき提案を決定する提案決定部を有し、
前記車載装置は、前記提案決定部で決定された提案を取得するとともに、取得した提案を乗員に対し報知する報知部をさらに有することを特徴とする乗員健康管理システム。
【請求項８】
車内における乗員の健康状態を測定して生体情報を取得し、
取得された生体情報に基づいて、乗員の健康管理に関する複数の提案であって、医療機関での受診と医薬品を販売する販売店での医薬品の購入とを含む複数の提案の中から、乗員に報知すべき提案を決定し、
決定された提案を乗員に対し報知することを含むことを特徴とする乗員健康管理方法。
【発明の詳細な説明】
【技術分野】
【０００１】
本発明は、車内で乗員の健康状態を測定して乗員の健康を管理する乗員健康管理装置、乗員健康管理システムおよび乗員健康管理方法に関する。
【背景技術】
【０００２】
従来より、車内で乗員の健康状態を診断するとともに、その診断結果に基づいて医療機関の診療を受けるべきか否かを判定し、医療機関の診療を受けるべきと判定されると、かかりつけの病院又は最寄りの病院に予約手続を行うようにした装置が知られている（例えば特許文献１参照）。
【先行技術文献】
【特許文献】
【０００３】
【特許文献１】特開２００６−３０２２０６号公報
【発明の概要】
【発明が解決しようとする課題】
【０００４】
しかしながら、上記特許文献１記載の装置は、医療機関の診療を受けるべきか否かの判定を行うだけであるため、例えば病気の症状が軽く医療機関の診療を受けるほどでもない場合に、乗員に対し的確な提案を行い得るものではない。
【課題を解決するための手段】
【０００５】
本発明の一態様である乗員健康管理装置は、車内における乗員の健康状態を測定して生体情報を取得する測定部と、測定部により取得された生体情報に基づいて、乗員の健康管理に関する複数の提案であって、医療機関での受診と医薬品を販売する販売店での医薬品の購入とを含む複数の提案の中から、乗員に報知すべき提案を決定する提案決定部と、提案決定部で決定された提案を乗員に対し報知する報知部と、を備える。
【０００６】
本発明の他の態様は、車内における乗員の健康状態を測定して生体情報を取得する測定部を有する車載装置と、この車載装置と通信可能な乗員健康管理サーバと、を備える乗員健康管理システムであり、乗員健康管理サーバは、測定部により取得された生体情報を取得するとともに、取得した生体情報に基づいて、乗員の健康管理に関する複数の提案であって、医療機関での受診と医薬品を販売する販売店での医薬品の購入とを含む複数の提案の中から、乗員に報知すべき提案を決定する提案決定部を有し、車載装置は、提案決定部で決定された提案を取得するとともに、取得した提案を乗員に対し報知する報知部をさらに有する。
【０００７】
本発明のさらに他の態様である乗員健康管理方法は、車内における乗員の健康状態を測定して生体情報を取得し、取得された生体情報に基づいて、乗員の健康管理に関する複数の提案であって、医療機関での受診と医薬品を販売する販売店での医薬品の購入とを含む複数の提案の中から、乗員に報知すべき提案を決定し、決定された提案を乗員に対し報知することを含む。
【発明の効果】
【０００８】
本発明によれば、乗員の健康管理に関する提案の候補に、医療機関での受診と販売店での医薬品の購入とが含まれるので、車内で測定された健康状態に応じて、乗員に対しより的確な提案を行うことができる。
【図面の簡単な説明】
【０００９】
【図１】本発明の実施形態に係る乗員健康管理装置の適用例を示す図。
【図２】本発明の実施形態に係る乗員健康管理装置の概略構成を示すブロック図。
【図３】生体情報の正常範囲と異常範囲の一例を示す図。
【図４】図２のＥＣＵで実行される処理の一例を示すフローチャート。
【図５】本発明の実施形態に係る乗員健康管理システムの概略構成の一例を示すブロック図。
【発明を実施するための形態】
【００１０】
以下、図１〜図５を参照して本発明の実施形態について説明する。図１は、本発明の実施形態に係る乗員健康管理装置１００の適用例を示す図である。図１に示すように、乗員健康管理装置１００は、一例として出発地から目的地までの目標経路を設定可能なナビゲーション装置を有する車両１に搭載される。
【００１１】
車両１は、例えば出発地（例えば自宅）Ｐ１から目的地（例えば勤務場所や訪問先）Ｐ２に至るまでの往路ＲＴ１を走行した後、目的地Ｐ２から出発地Ｐ１に帰還するまでの復路ＲＴ２を走行する。乗員健康管理装置１００は、車両１の内部で体温や血圧などを測定して乗員の生体情報を取得し、取得された健康状態に基づいて、往路ＲＴ１または復路ＲＴ２の途中において、病院等の医療機関２での受診、または医薬品を販売する薬局や薬店等の販売店３での薬の購入を提案する。
【００１２】
図２は、本発明の実施形態に係る乗員健康管理装置１００の概略構成を示すブロック図である。乗員健康管理装置１００は、ナビゲーション装置と一部の機能を共通にする。図２に示すように、乗員健康管理装置１００は、ＥＣＵ（電子制御ユニット）１０と、ＥＣＵ１０に有線または無線でそれぞれ電気的に接続された測定器２１、ＧＰＳ受信部２２、マイク２３、入力部２４、データベース２５、表示部２６およびスピーカ２７とを有する。
【００１３】
測定器２１は、車両に搭載されて、所定のタイミングで乗員の健康状態を測定して生体情報を得る接触式または非接触式の各種センサにより構成される。生体情報は、乗員の体温、血圧、脈拍等、乗員の健康状態を表す物理量についての情報である。測定器２１としては、一例を挙げると、体温を測定するサーモセンサ、ステアリングハンドルに取り付けられて心拍や血圧を測定する電極、乗員の顔面を撮影して心拍や脈拍を測定するカメラ等を用いることができる。生体情報の測定のタイミングは、例えば乗員（具体的には運転者）が乗車したとき、運転開始から所定時間経過したときなどである。生体情報の取得を、乗員が乗車してから所定時間毎に行うようにしてもよい。
【００１４】
ＧＰＳ受信部（ＧＰＳセンサ）２２は、ＧＰＳ衛星から信号を受信する機器であり、ＧＰＳ受信部２２で受信した信号により車両の現在位置を測定することができる。マイク２３は、乗員の発話した音声を取得する機器であり、マイク２３からの音声信号は、例えばＡ／Ｄ変換器を介し音声データとしてＥＣＵ１０に入力され、ＥＣＵ１０で音声認識される。入力部２４は、乗員が各種指令を入力する機器であり、例えばタッチパネルやステアリングハンドル等に設けられたスイッチにより構成できる。
【００１５】
データベース２５は、地図情報を記憶する地図データベース２５１と、医療機関情報を記憶する医療機関データベース２５２と、販売店情報を記憶する販売店データベース２５３とを含む。これらの情報を、無線あるいは有線の通信手段を介して車両１の外部から取得し、データベース２５に記憶するようにしてもよい。このように外部から取得した情報により、データベース２５に記憶される情報を任意のタイミングで、あるいは定期的に更新するようにしてもよい。
【００１６】
地図データベース２５１に記憶される地図情報には、道路の位置や形状等の情報の他、各種施設や店舗の位置や形状、駐車場等の情報が含まれる。医療機関データベース２５２に記憶される医療機関情報には、病院や医院等の医療機関の位置、診療科目、受付時間、休診日、電話番号、駐車場の有無等の情報が含まれる。販売店データベース２５３に記憶される販売店情報には、医薬品を販売する薬局、薬店、コンビニエンスストアなどの販売店の位置、薬剤師の有無、営業時間、定休日、電話番号、駐車場の有無等の情報が含まれる。販売店情報には、各販売店が第１類医薬品、第２類医薬品および第３類医薬品のいずれを販売可能であるかの情報も含まれる。販売店との通信により、各販売店における医薬品の在庫の有無の情報を取得し、これを販売店データベース２５３に記憶することもできる。
【００１７】
表示部２６は、液晶ディスプレイやタッチパネルにより構成される表示機器である。表示部２６には、目的地までの目標経路の情報や、医療機関での受診や販売店での医薬品の購入等の健康管理に関する提案を表示することができる。スピーカ２７は、各種情報を音声で出力する機器であり、例えば目標経路の情報や、上記健康管理に関する提案を音声で出力することができる。
【００１８】
ＥＣＵ１０は、プロセッサやメモリ等、すなわちＣＰＵ，ＲＯＭ，ＲＡＭその他の周辺回路を有する演算処理装置を含んで構成される。ＥＣＵ１０は、機能的構成として、経路演算部１１と、情報記憶部１２と、提案決定部１３と、検索部１４と、出力部１５と、応答受付部１６とを有する。
【００１９】
経路演算部１１は、ＧＰＳ受信部２２によって測定された車両の現在位置と地図データベース２５１に記憶された地図情報とに基づいて、現在位置から目的地に至るまでの目標経路を演算する。そして、その演算結果に基づき表示部２６とスピーカ２７とに制御信号を出力し、車両の現在位置情報とともに目標経路情報を表示部２６に表示させるとともに、目標経路情報をスピーカ２７から音声で出力させる。なお、目的地等、経路探索に関する各種情報は、入力部２４を介して入力することができる。後述するように出力部１５を介して提案された医療機関や販売店の位置を、乗員の承諾を待って目的地に自動的に設定することもできる。
【００２０】
情報記憶部１２は、測定器２１により測定された乗員固有の生体情報（測定データ）を取得し、測定の日時データとともに測定データを記憶する。測定器２１が所定時間毎に生体情報を測定するとき、情報記憶部１２は、全ての測定データを記憶するのではなく、そのうちの代表的な測定データを記憶するようにしてもよい。例えば、乗車後の最初に測定された測定データ、あるいは所定時間内に得られた複数の測定データの平均値を記憶するようにしてもよい。
【００２１】
提案決定部１３は、乗員の健康管理に関する複数の提案、すなわち提案の候補の中から乗員に報知すべき提案を決定する。複数の提案には、図１に示す医療機関２での受診と、販売店３での医薬品の購入とが含まれる。より具体的には、医療機関２での受診と販売店３での医薬品の購入とを出発地Ｐ１から目的地Ｐ２に向かう往路ＲＴ１で行うことの提案と、目的地Ｐ２から出発地Ｐ１に帰還する復路ＲＴ２で行うことの提案とが含まれる。すなわち、図１の経路ＲＴ１ａ，ＲＴ１ｂに沿って往路ＲＴ１の途中で受診および医薬品を購入することの提案と、経路ＲＴ２ａ，ＲＴ２ｂに沿って復路ＲＴ２の途中で受診および医薬品を購入することの提案とが含まれる。医薬品の購入の提案には、第１類医薬品の購入の提案と、第２類医薬品の購入の提案と、第３類医薬品の購入の提案とが含まれる。
【００２２】
提案決定部１３は、測定器２１により測定、取得された生体情報に基づいて、上記複数の提案の中から乗員に報知すべき提案を決定する。例えば測定器２１により取得（測定）された生体情報が体温であるとき、測定された体温と、体温に関する閾値とを比較することによって、乗員の健康状態を推定し、報知すべき提案を決定する。より具体的には、提案決定部１３は、報知すべき提案を決定するために生体情報の範囲（正常範囲、異常範囲）を予め設定する。正常範囲は健康状態が良好と判定される範囲であり、異常範囲は健康状態が悪化と判定される範囲である。図３は、予め設定された正常範囲と異常範囲の一例を示す図である。この範囲は生体情報毎に定められ、図３は、体温Ｔを対象とした例である。
【００２３】
図３に示すように、体温は所定値（基準値）Ｔ０を中心としてＴ０±ΔＴ１（例えば３６℃±１℃）が正常範囲であり、その外側が異常範囲である。換言すると、ΔＴ１は、乗員の体温が正常か否か、すなわち乗員の健康状態が良好であるか否かを判定するための閾値である。異常範囲のうち、Ｔ０±ΔＴ２（例えば３６℃±２℃）を境にして、それよりも内側の範囲を第１範囲、外側の範囲を第２範囲と定義する。ΔＴ２は、乗員の健康状態の悪化の程度を判定するための閾値であり、第１範囲よりも第２範囲の方が、乗員の健康状態が悪化している。
【００２４】
例えば測定された体温が第２範囲にあるとき、提案決定部１３は、乗員の健康状態の悪化の程度が大きいと推定する。この場合、乗員は医療機関で即座に診療されることが望ましいため、提案決定部１３は、医療機関での受診、例えば往路での受診を報知すべき提案に決定する。一方、測定された体温が第１範囲にあるとき、直ちに医療機関で受診するほど病状が悪化していないと判定し、提案決定部１３は、例えば復路での受診を報知すべき提案に決定、あるいは医療機関での受診ではなく往路または復路での医薬品の購入、好ましくは復路での医薬品の購入を、報知すべき提案に決定する。すなわち、時間的に余裕のある復路での医薬品の購入を提案する。医薬品の購入を報知すべき提案に決定するとき、測定された体温に応じて、第１類医薬品、第２類医薬品、第３類医薬品のいずれを提案すべきかを併せて決定する。例えば体温が所定値以上のとき、第１類医薬品を、所定値以下のときは第２医薬品あるいは第３医薬品を、提案すべき医薬品に決定する。
【００２５】
正常範囲、第１範囲および第２範囲は、平熱や基礎体温が高い等、乗員各自の生体情報の特性を考慮し、情報記憶部１２に記憶された情報を用いて適宜設定する。例えば情報記憶部１２に記憶された過去５回分の体温がいずれも３６℃であり、測定された体温が３８℃であるとき、提案決定部１３は、これら６回分の平均値３６．３℃を基準値Ｔ０に設定する。なお、測定された体温が正常範囲にない（異常値である）とき、その異常値を除外して算出した平均値を、基準値Ｔ０に設定してもよい。例えば上述の例で３８℃が異常値と判定されるとき、それを除いた５回分の平均値３６℃を基準値Ｔ０に設定してもよい。過去の生体情報に基づいて基準値Ｔ０を設定する代わりに、過去の生体情報に基づいてΔＴ１，ΔＴ２を適宜設定するようにしてもよい。提案決定部１３は、生体情報が正常範囲にあるときには、健康管理に関する提案を行う必要がないと判断し、報知すべき提案なしと決定する。
【００２６】
検索部１４は、提案決定部１３での決定内容に応じて、乗員に提案すべき医療機関または販売店を検索する。例えば、往路での受診が提案内容に決定されたとき、検索部１４は、医療機関データベース２５２を参照し、往路で立ち寄ることが可能な医療機関を検索する。一方、復路での医薬品の購入が提案内容に決定されたとき、検索部１４は、販売店データベース２５３を参照し、復路で立ち寄ることが可能な販売店を検索する。
【００２７】
出力部１５は、表示部２６およびスピーカ２７に制御信号を出力し、提案決定部１３で決定された提案を、表示部２６およびスピーカ２７を介して乗員に報知する。このとき、検索部１４で検索された情報を併せて報知ようにしてもよい。出力部１５は、乗員に対し医療機関での受診を提案するとき、その提案を承諾するか否かを入力させるような指令を乗員に対し併せて出力する。例えば、マイク２３や入力部２４を介して提案の承諾または拒否の応答指令を入力するように乗員に対し指令を出力する。
【００２８】
応答受付部１６は、出力部１５から出力された提案に対する乗員の応答指令（提案の承諾または拒否の指令）を受け付ける。応答受付部１６により受診の提案の承諾が受け付けられると、出力部１５は、医療機関に予約手続を行うようにしてもよい。一方、応答受付部１６により受診の提案の拒否が受け付けられると、提案決定部１３は、販売店での医薬品の購入を、乗員に報知すべき提案に決定し、出力部１５は、その提案を表示部２６およびスピーカ２７から出力させるように制御信号を出力する。なお、応答受付部１６が提案の承諾を受け付けたときに、提案決定部１３が測定器２１による測定データを異常と判定し、その異常値を除去した測定データに基づいて、生体情報の正常範囲（図３の基準値Ｔ０等）を定めるようにしてもよい。一方、応答受付部１６が提案の拒否を受け付けたときには、測定データを異常と判定せずに、その測定データを含めて正常範囲を定めるようにしてもよい。
【００２９】
図４は、予め記憶されたプログラムに従い、ＥＣＵ１０（ＣＰＵ）で実行される処理の一例を示すフローチャートである。このフローチャートに示す処理は、例えば乗員が乗車した後、測定器２１で健康状態の測定が行われると開始される。まず、ステップＳ１で、測定器２１により測定された現在の生体情報と、情報記憶部１２に記憶された過去の生体情報とを取得する。生体情報として、以下では体温を例にして説明する。
【００３０】
次いで、ステップＳ２で、提案決定部１３での処理により、現在の生体情報の値が予め定められた正常範囲にあるか否か、すなわち健康状態が良好か否かを判定する。ステップＳ２で否定されるとステップＳ３に進み、肯定されると処理を終了する。ステップＳ３では、健康状態の悪化の程度、すなわち生体情報の値が第１範囲内にあるか否かを判定する。ステップＳ３で否定されるとステップＳ４に進む。この場合、生体情報の値が第２範囲にあり、健康状態の悪化の程度が大きいと判断して、医療機関での受診を提案内容に決定する。さらに、出力部１５での処理により、提案内容に応じた制御信号を表示部２６とスピーカ２７とに出力する。これにより、表示や音声の出力により医療機関での受診を乗員に提案することができる。
【００３１】
次いで、ステップＳ５で、応答受付部１６での処理により、乗員が提案を承諾したか否か、すなわちマイク２３あるいは入力部２４を介して乗員から承諾の応答指令が入力されたか否かを判定する。ステップＳ５で肯定されるとステップＳ６に進み、出力部１５での処理により、例えば医療機関に予約を依頼し、医療機関に対する予約手続を行う。このとき、経路演算部１１での処理により、その医療機関を目的地とした目標経路を演算し、目標経路の情報を表示部２６やスピーカ２７を介して出力することもできる。
【００３２】
一方、ステップＳ３が否定あるいはステップＳ５が否定されるとステップＳ７に進む。ステップＳ７では、提案決定部１３での処理により、販売店での医薬品の購入を提案内容に決定する。より詳しくは、第１医薬品、第２医薬品、第３医薬品のいずれかの購入を提案内容に決定する。さらに、検索部１４での処理により、当該医薬品を販売している販売店を検索し、その販売店情報を取得する。次いで、出力部１５での処理により、医薬品を購入すべきとの提案、およびその医薬品を取り扱う販売店の情報、すなわち販売店の名称、住所、営業時間等を、表示部２６およびスピーカ２７を介して乗員に報知する。このとき、経路演算部１１での処理により、その販売店を目的地とした目標経路を演算し、目標経路の情報を表示部２６やスピーカ２７を介して出力することもできる。
【００３３】
本実施形態によれば以下のような作用効果を奏することができる。
（１）乗員健康管理装置１００は、車内における乗員の健康状態を測定して生体情報を取得する測定器２１と、測定器２１により取得された生体情報に基づいて、乗員の健康管理に関する複数の提案、すなわち医療機関での受診と医薬品を販売する販売店での医薬品の購入とを含む複数の提案の中から、乗員に報知すべき提案を決定する提案決定部１３と、提案決定部１３で決定された提案を乗員に対し報知する出力部１５および表示部２６，スピーカ２７とを備える（図１，２）。この構成により、医療機関での受診だけでなく、販売店での医薬品の購入を乗員に提案することができ、乗員に対し健康状態に応じた的確な提案を行うことができる。すなわち、乗員の健康管理に関する提案の候補に、医療機関での受診と販売店での医薬品の購入とが含まれるので、車内で測定された健康状態に応じてより的確な提案を行うことができる。
【００３４】
（２）乗員健康管理装置１００は、測定器２１により取得された生体情報を記憶する情報記憶部１２をさらに備える（図２）。提案決定部１３は、情報記憶部１２に記憶された過去の生体情報と、測定器２１により取得された現在の生体情報とに基づいて、乗員に報知すべき提案を決定する（ステップＳ４，ステップＳ７）。これにより、乗員に固有の生体情報の特性（例えば平熱や基礎体温の値等）を考慮して乗員への提案内容を決定することができ、乗員に対しより的確な提案を行うことができる。
【００３５】
（３）提案決定部１３は、測定器２１により取得された生体情報に基づいて乗員の健康状態の悪化の程度を推定し、推定された健康状態の悪化の程度に応じて、乗員に報知すべき提案を決定する（ステップＳ３，ステップＳ４，ステップＳ７）。これにより、例えば健康状態の悪化の程度が大きいときには医療機関での受診を、悪化の程度が小さいときには医薬品の購入を提案することが可能となり、乗員は健康状態の悪化の程度に応じた適切なアドバイスを受けることができる。
【００３６】
（４）提案決定部１３で決定可能な複数の提案には、目的地に向かう往路での受診および医薬品の購入と、目的地から帰還する復路での受診および医薬品の購入とが含まれる。これにより、例えば健康状態の悪化の程度が小さい（症状が軽い）ときには、目的地に向かう往路（例えば通勤途中）ではなく、復路（例えば帰宅途中）での医薬品の購入等を提案することができる。すなわち、この場合には、時間的に余裕がある帰宅途中での医薬品の購入を提案することができ、販売店に立ち寄る時間についての適切な提案を行うことができる。
【００３７】
（５）提案決定部１３で決定可能な複数の提案には、第１類医薬品、第２類医薬品および第３類医薬品の購入がさらに含まれる。出力部１５は、提案決定部１３により第１類医薬品、第２類医薬品または第３類医薬品の購入が乗員に報知すべき提案に決定されると、決定された医薬品を取り扱う販売店の情報を、併せて乗員に対し報知するように表示部２６およびスピーカ２７に制御信号を出力する（ステップＳ７）。これにより乗員の症状に応じた適切な医薬品の購入を提案することができる。また、その医薬品を扱う販売店を報知することができ、乗員が効率よく販売店に立ち寄ることができる。
【００３８】
（６）乗員健康管理装置１００は、表示部２６とスピーカ２７とから報知された提案に対する承諾または拒否の応答指令を入力するマイク２３あるいは入力部２４を備える。提案決定部１３は、医療機関での受診を乗員に報知すべき提案に決定した後、この提案が乗員によって拒否されると、次いで、販売店での医薬品の購入を乗員に報知すべき提案に決定する（ステップＳ５→ステップＳ７）。これにより、病院に行く時間がない、医者嫌い、面倒等の理由で乗員が医療機関での受診の提案（第１の提案）を拒否した場合に、販売店での医薬品の購入の提案（第２の提案）を行うことができ、乗員は健康管理にとって有用な情報を得ることができる。
【００３９】
なお、上記実施形態では、乗員の健康状態の測定と、乗員に報知すべき提案の決定と、その提案の報知とを、車両に搭載した乗員健康管理装置１００で行うようにしたが、例えば乗員に報知すべき提案の決定を、車載装置と通信可能な別の装置で行うようにしてもよい。すなわち、クライアント・サーバ形式の乗員健康管理システムを構築し、乗員健康管理装置１００（図２）の一部の機能をサーバで行わせるようにしてもよい。
【００４０】
図５は、その場合の乗員健康管理システム１１０の概略構成の一例を示すブロック図である。図５に示すように、乗員健康管理システム１１０は、車両１に搭載された車載装置１０１と、乗員健康管理サーバ５０とを有する。車載装置１０１と乗員健康管理サーバ５０とは、無線通信網を含むネットワーク４を介して通信可能に接続される。車載装置１０１は、図２の乗員健康管理装置１００からデータベース２５を省くとともに、ＥＣＵ１０から情報記憶部１２と提案決定部１３と検索部１４とを省いて構成される。なお、他の構成は乗員健康管理装置１０１と共通である。
【００４１】
乗員健康管理サーバ５０は、ＣＰＵ，ＲＯＭ，ＲＡＭその他の周辺回路を有する演算処理装置を含んで構成され、機能的構成として情報取得部５１と、情報記憶部５２と、提案決定部５３と、検索部５４と、データベース５５とを有する。情報取得部５１は、測定器２１で測定して得られた生体情報を含む各種情報を、不図示の無線部を介して車載装置１０１から取得する。情報記憶部５２、提案決定部５３、検索部５４およびデータベース５５は、図２の乗員健康管理装置１００の情報記憶部１２、提案決定部１３、検索部１４およびデータベース５５と同様に構成される。
【００４２】
なお、測定器２１により測定して得られた生体情報を取得するとともに、取得した生体情報に基づいて、乗員の健康管理に関する複数の提案、すなわち医療機関での受診と医薬品を販売する販売店での医薬品の購入とを含む複数の提案の中から、乗員に報知すべき提案を決定する提案決定部５３に対応する構成を有するのであれば、乗員健康管理サーバ５０の構成は上述したものに限らない。また、車内における乗員の健康状態を即して生体情報を測定する測定器２１に対応する構成を有するとともに、提案決定部５３で決定された提案を取得し、取得した提案を乗員に対し報知する報知部、すなわち図２の出力部１５、表示部２６、スピーカ２７に対応する構成を有するのであれば、車載装置１０１の構成も上述したものに限らない。
【００４３】
上記実施形態は、乗員健康管理装置１００および乗員健康管理システム１１０だけでなく、乗員健康管理方法も含む。乗員健康管理方法として、車内における乗員の健康状態を測定して生体情報を取得し、取得された生体情報に基づいて、乗員の健康管理に関する複数の提案であって、医療機関での受診と医薬品を販売する販売店での医薬品の購入とを含む複数の提案の中から、乗員に報知すべき提案を決定し、決定された提案を乗員に対し報知することを含むのであれば、他の構成はいかなるものでもよい。
【００４４】
なお、以上では、提案決定部１３，５３で決定可能な提案として種々のものを挙げたが、少なくとも医療機関での受診と医薬品を販売する販売店での医薬品の購入とを含めるのであれば、乗員に報知すべき健康管理に関する提案としていかなる提案をも含めることもできる。上記実施形態では、出力部１５からの制御信号により表示部２６とスピーカ２７とから健康管理に関する提案を報知するようにしたが、報知部の構成はこれに限らない。上記実施形態では、マイク２３あるいは入力部２４を介して、報知された提案に対する乗員による承諾または拒否の応答指令が入力されるようにしたが、応答指令部の構成もこれに限らない。上記実施形態では、車内に設けられた測定器２１により体温や血圧等の生体情報を測定するようにしたが、生体情報は上述しものに限らず、したがって測定部の構成も上述したものに限らない。
【００４５】
以上の説明はあくまで一例であり、本発明の特徴を損なわない限り、上述した実施形態および変形例により本発明が限定されるものではない。上記実施形態と変形例の１つまたは複数を任意に組み合わせることも可能であり、変形例同士を組み合わせることも可能である。
【符号の説明】
【００４６】
１２  情報記憶部、１３  提案決定部、１５  出力部、２１  測定器、２３  マイク、２４  入力部、２６  表示部、２７  スピーカ、５０  乗員健康管理サーバ、５３  提案決定部、１００  乗員健康管理装置、１０１  車載装置、１１０  乗員健康管理システム
【図１】
2018190290.tif 000003
【図２】
2018190290.tif 000004
【図３】
2018190290.tif 000005
【図４】
2018190290.tif 000006
【図５】
2018190290.tif 000007